(57)【要約】  本出願は、測定設定方法及び装置、測定報告方法及び装置、基地局、ユーザ装置並びにコンピュータ可読記憶媒体に関する。ここで、測定設定方法は、コアネットワークからのドライブテスト最小化（ＭＤＴ）設定情報を受信し、ＭＤＴ設定情報が、ＭＤＴに対して無線ローカルエリアネットワーク（ＷＬＡＮ）アクセスポイント（ＡＰ）の測定情報を報告するようにユーザ装置（ＵＥ）を設定するためのものであることと、ＭＤＴ設定情報に基づいて、ＵＥに測定設定情報を送信し、測定設定情報が、ＷＬＡＮ  ＡＰを測定し、前記ＷＬＡＮ  ＡＰの測定情報を報告するようにＵＥを設定するためのものであることとを含む。本出願の実施例において、コアネットワークからのＭＤＴ設定情報を受信し、該ＭＤＴ設定情報に基づいてＵＥに測定設定情報を送信することで、コアネットワークに求められる、ＵＥによってＭＤＴに対して報告すべきのＷＬＡＮ測定情報を知ることができる。これにより、ＵＥを、対応する測定及び結果報告を行うように設定することができる。【選択図】図１
2021519032.tif 000002
【特許請求の範囲】
【請求項１】
測定設定方法であって、基地局に適用され、前記方法は、
コアネットワークからのドライブテスト最小化（ＭＤＴ）設定情報を受信し、前記ＭＤＴ設定情報が、ＭＤＴに対して無線ローカルエリアネットワーク（ＷＬＡＮ）アクセスポイント（ＡＰ）の測定情報を報告するようにユーザ装置（ＵＥ）を設定するためのものであることと、
前記ＭＤＴ設定情報に基づいて、前記ＵＥに測定設定情報を送信し、前記測定設定情報が、ＷＬＡＮ  ＡＰを測定し、前記ＷＬＡＮ  ＡＰの測定情報を報告するようにＵＥを設定するためのものであることと、を含む、測定設定方法。
【請求項２】
前記方法は、
ターゲット基地局に前記ＭＤＴ設定情報を送信し、それによって、前記ターゲット基地局に、前記ＭＤＴ設定情報に基づいて、前記ターゲット基地局の所在するセルのＵＥに前記測定設定情報を送信させることを更に含むことを特徴とする
請求項１に記載の方法。
【請求項３】
前記ＭＤＴ設定情報は、第１ＭＤＴ設定情報又は第２ＭＤＴ設定情報を含み、前記第１ＭＤＴ設定情報は、ＭＤＴに対してＷＬＡＮ  ＡＰのサービスセット識別子（ＳＳＩＤ）又は基本サービスセット識別子（ＢＳＳＩＤ）を報告するようにＵＥを設定するためのものであり、前記第２ＭＤＴ設定情報は、ＭＤＴに対してＷＬＡＮ  ＡＰの受信信号強度インジケータ（ＲＳＳＩ）及び往復遅延時間（ＲＴＴ）を報告するようにＵＥを設定するためのものであることを特徴とする
請求項１又は２に記載の方法。
【請求項４】
アネットワークからのＭＤＴ設定情報を受信することは、
コアネットワークと基地局との間のインタフェースアプリケーションプロトコル（Ｓ１ＡＰ）のＭＤＴ設定シグナリングを介して、前記第１ＭＤＴ設定情報を受信し、前記Ｓ１ＡＰのＭＤＴ設定シグナリングにおける測定アクティブ化情報ユニットに前記第１ＭＤＴ設定情報が付加されること、又は、
コアネットワークと基地局との間のインタフェースアプリケーションプロトコル（Ｓ１ＡＰ）のＭＤＴ設定シグナリングを介して、前記第２ＭＤＴ設定情報を受信し、前記Ｓ１ＡＰのＭＤＴ設定シグナリングにおける測定アクティブ化情報ユニットに前記第２ＭＤＴ設定情報が付加されることを含むことを特徴とする
請求項３に記載の方法。
【請求項５】
前記ターゲット基地局に前記ＭＤＴ設定情報を送信することは、
基地局と基地局との間のインタフェースアプリケーションプロトコル（Ｘ２ＡＰ）のＭＤＴ設定シグナリングを介して、前記ターゲット基地局に前記第１ＭＤＴ設定情報を送信し、前記Ｘ２ＡＰのＭＤＴ設定シグナリングにおける測定アクティブ化情報ユニットに前記第１ＭＤＴ設定情報が付加されること、又は、
基地局と基地局との間のインタフェースアプリケーションプロトコル（Ｘ２ＡＰ）のＭＤＴ設定シグナリングを介して、前記ターゲット基地局に前記第２ＭＤＴ設定情報を送信し、前記Ｘ２ＡＰのＭＤＴ設定シグナリングにおける測定アクティブ化情報ユニットに前記第２ＭＤＴ設定情報が付加されることを含むことを特徴とする
請求項３に記載の方法。
【請求項６】
前記測定設定情報は更に、前記ＷＬＡＮ  ＡＰの測定情報の報告トリガ条件を設定するために用いられ、前記報告トリガ条件は少なくとも１つの無線測定イベントを含むことを特徴とする
請求項１に記載の方法。
【請求項７】
前記少なくとも１つの無線測定イベントは、新たな無線測定イベント又は複数の既存の無線測定イベントを含み、前記新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含むことを特徴とする
請求項６に記載の方法。
【請求項８】
測定報告方法であって、ユーザ装置（ＵＥ）に適用され、前記方法は、
基地局からの測定設定情報を受信し、前記測定設定情報が、無線ローカルエリアネットワーク（ＷＬＡＮ）アクセスポイント（ＡＰ）を測定し、前記ＷＬＡＮ  ＡＰの測定情報を報告するようにＵＥを設定するためのものであることと、
前記測定設定情報に基づいてＷＬＡＮ  ＡＰを測定することと、
前記ＷＬＡＮ  ＡＰの測定情報を報告することと、を含む、
測定報告方法。
【請求項９】
前記ＷＬＡＮ  ＡＰの測定情報は、前記ＷＬＡＮ  ＡＰのサービスセット識別子（ＳＳＩＤ）又は基本サービスセット識別子（ＢＳＳＩＤ）を含むか、又は前記ＷＬＡＮ  ＡＰの受信信号強度インジケータ（ＲＳＳＩ）及び往復遅延時間（ＲＴＴ）を含むことを特徴とする
請求項８に記載の方法。
【請求項１０】
前記測定設定情報は更に、前記ＷＬＡＮ  ＡＰの測定情報の報告トリガ条件を設定するために用いられ、前記報告トリガ条件は少なくとも１つの無線測定イベントを含むことを特徴とする
請求項８又は９に記載の方法。
【請求項１１】
前記ＷＬＡＮ  ＡＰの測定情報を報告することは、
現在条件が前記報告トリガ条件を満たした場合、前記ＷＬＡＮ  ＡＰの測定情報を報告することを含むことを特徴とする
請求項１０に記載の方法。
【請求項１２】
前記少なくとも１つの無線測定イベントは、新たな無線測定イベント又は複数の既存の無線測定イベントを含み、前記新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含むことを特徴とする
請求項１０に記載の方法。
【請求項１３】
測定設定装置であって、基地局に適用され、前記装置は、
コアネットワークからのドライブテスト最小化（ＭＤＴ）設定情報を受信するように構成される受信モジュールであって、前記ＭＤＴ設定情報が、ＭＤＴに対して無線ローカルエリアネットワーク（ＷＬＡＮ）アクセスポイント（ＡＰ）の測定情報を報告するようにユーザ装置（ＵＥ）を設定するためのものである受信モジュールと、
前記受信モジュールにより受信された前記ＭＤＴ設定情報に基づいて、前記ＵＥに測定設定情報を送信するように構成される第１送信モジュールであって、前記測定設定情報が、ＷＬＡＮ  ＡＰを測定し、前記ＷＬＡＮ  ＡＰの測定情報を報告するようにＵＥを設定するためのものである第１送信モジュールと、を備える、測定設定装置。
【請求項１４】
前記装置は、
前記受信モジュールにより前記ＭＤＴ設定情報を受信してから、ターゲット基地局に前記ＭＤＴ設定情報を送信し、それによって、前記ターゲット基地局に、前記ＭＤＴ設定情報に基づいて、前記ターゲット基地局の所在するセルのＵＥに前記測定設定情報を送信させるように構成される第２送信モジュールを更に備えることを特徴とする
請求項１３に記載の装置。
【請求項１５】
前記ＭＤＴ設定情報は、第１ＭＤＴ設定情報又は第２ＭＤＴ設定情報を含み、前記第１ＭＤＴ設定情報は、ＭＤＴに対してＷＬＡＮ  ＡＰのサービスセット識別子（ＳＳＩＤ）又は基本サービスセット識別子（ＢＳＳＩＤ）を報告するようにＵＥを設定するためのものであり、前記第２ＭＤＴ設定情報は、ＭＤＴに対してＷＬＡＮ  ＡＰの受信信号強度インジケータ（ＲＳＳＩ）及び往復遅延時間（ＲＴＴ）を報告するようにＵＥを設定するためのものであることを特徴とする
請求項１３又は１４に記載の装置。
【請求項１６】
前記受信モジュールは、
コアネットワークと基地局との間のインタフェースアプリケーションプロトコル（Ｓ１ＡＰ）のＭＤＴ設定シグナリングを介して、前記第１ＭＤＴ設定情報を受信するように構成される第１受信サブモジュールであって、前記Ｓ１ＡＰのＭＤＴ設定シグナリングにおける測定アクティブ化情報ユニットに前記第１ＭＤＴ設定情報が付加される第１受信サブモジュール、又は、
コアネットワークと基地局との間のインタフェースアプリケーションプロトコル（Ｓ１ＡＰ）のＭＤＴ設定シグナリングを介して、前記第２ＭＤＴ設定情報を受信するように構成される第２受信サブモジュールであって、前記Ｓ１ＡＰのＭＤＴ設定シグナリングにおける測定アクティブ化情報ユニットに前記第２ＭＤＴ設定情報が付加される第２受信サブモジュールを備えることを特徴とする
請求項１５に記載の装置。
【請求項１７】
前記第２送信モジュールは、
基地局と基地局との間のインタフェースアプリケーションプロトコル（Ｘ２ＡＰ）のＭＤＴ設定シグナリングを介して、前記ターゲット基地局に前記第１ＭＤＴ設定情報を送信するように構成される第１送信サブモジュールであって、前記Ｘ２ＡＰのＭＤＴ設定シグナリングにおける測定アクティブ化情報ユニットに前記第１ＭＤＴ設定情報が付加される第１送信サブモジュール、又は、
基地局と基地局との間のインタフェースアプリケーションプロトコル（Ｘ２ＡＰ）のＭＤＴ設定シグナリングを介して、前記ターゲット基地局に前記第２ＭＤＴ設定情報を送信するように構成される第２送信サブモジュールであって、前記Ｘ２ＡＰのＭＤＴ設定シグナリングにおける測定アクティブ化情報ユニットに前記第２ＭＤＴ設定情報が付加される第２送信サブモジュールを備えることを特徴とする
請求項１５に記載の装置。
【請求項１８】
前記測定設定情報は更に、前記ＷＬＡＮ  ＡＰの測定情報の報告トリガ条件を設定するために用いられ、前記報告トリガ条件は少なくとも１つの無線測定イベントを含むことを特徴とする
請求項１３に記載の装置。
【請求項１９】
前記少なくとも１つの無線測定イベントは、新たな無線測定イベント又は複数の既存の無線測定イベントを含み、前記新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含むことを特徴とする
請求項１８に記載の装置。
【請求項２０】
測定報告装置であって、ユーザ装置（ＵＥ）に適用され、前記装置は、
基地局からの測定設定情報を受信するように構成される受信モジュールであって、前記測定設定情報が、無線ローカルエリアネットワーク（ＷＬＡＮ）アクセスポイント（ＡＰ）を測定し、前記ＷＬＡＮ  ＡＰの測定情報を報告するようにＵＥを設定するためのものである受信モジュールと、
前記受信モジュールにより受信された前記測定設定情報に基づいてＷＬＡＮ  ＡＰを測定するように構成される測定モジュールと、
前記測定モジュールにより測定された前記ＷＬＡＮ  ＡＰの測定情報を報告するように構成される報告モジュールとを備える、測定報告装置。
【請求項２１】
前記ＷＬＡＮ  ＡＰの測定情報は、前記ＷＬＡＮ  ＡＰのサービスセット識別子（ＳＳＩＤ）又は基本サービスセット識別子（ＢＳＳＩＤ）を含むか、又は前記ＷＬＡＮ  ＡＰの受信信号強度インジケータ（ＲＳＳＩ）及び往復遅延時間（ＲＴＴ）を含むことを特徴とする
請求項２０に記載の装置。
【請求項２２】
前記測定設定情報は更に、前記ＷＬＡＮ  ＡＰの測定情報の報告トリガ条件を設定するために用いられ、前記報告トリガ条件は少なくとも１つの無線測定イベントを含むことを特徴とする
請求項２０又は２１に記載の装置。
【請求項２３】
前記報告モジュールは、
現在条件が前記報告トリガ条件を満たした場合、前記ＷＬＡＮ  ＡＰの測定情報を報告するように構成されることを特徴とする
請求項２２に記載の装置。
【請求項２４】
前記少なくとも１つの無線測定イベントは、新たな無線測定イベント又は複数の既存の無線測定イベントを含み、前記新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含むことを特徴とする
請求項２２に記載の装置。
【請求項２５】
基地局であって、
プロセッサと、
プロセッサによる実行可能な命令を記憶するためのメモリとを備え、
前記プロセッサは、
コアネットワークからのドライブテスト最小化（ＭＤＴ）設定情報を受信し、前記ＭＤＴ設定情報が、ＭＤＴに対して無線ローカルエリアネットワーク（ＷＬＡＮ）アクセスポイント（ＡＰ）の測定情報を報告するようにユーザ装置（ＵＥ）を設定するためのものであることと、
前記ＭＤＴ設定情報に基づいて、前記ＵＥに測定設定情報を送信し、前記測定設定情報が、ＷＬＡＮ  ＡＰを測定し、前記ＷＬＡＮ  ＡＰの測定情報を報告するようにＵＥを設定するためのものであることと、を実行するように構成される、
基地局。
【請求項２６】
ユーザ装置であって、
プロセッサと、
プロセッサによる実行可能な命令を記憶するためのメモリとを備え、
前記プロセッサは、
基地局からの測定設定情報を受信し、前記測定設定情報が、無線ローカルエリアネットワーク（ＷＬＡＮ）アクセスポイント（ＡＰ）を測定し、前記ＷＬＡＮ  ＡＰの測定情報を報告するようにＵＥを設定するためのものであることと、
前記測定設定情報に基づいてＷＬＡＮ  ＡＰを測定することと、
前記ＷＬＡＮ  ＡＰの測定情報を報告することと、を実行するように構成される、
ユーザ装置。
【請求項２７】
コンピュータ可読記憶媒体であって、コンピュータ命令が記憶されており、該命令がプロセッサにより実行される時、請求項１−７のうちいずれか一項に記載の測定設定方法のステップを実現させる、コンピュータ可読記憶媒体。
【請求項２８】
コンピュータ可読記憶媒体であって、コンピュータ命令が記憶されており、該命令がプロセッサにより実行される時、請求項８−１２のうちいずれか一項に記載の測定報告方法のステップを実現させる、コンピュータ可読記憶媒体。
【発明の詳細な説明】
【技術分野】
【０００１】
本出願は、通信技術分野に関し、特に測定設定方法及び装置、測定報告方法及び装置、基地局、ユーザ装置並びにコンピュータ可読記憶媒体に関する。
【背景技術】
【０００２】
ドライブテストは、通信業界において道路における無線信号を測定するための最も一般的に使用される方法である。ドライブテストは、ネットワークの状態を反映し、ネットワークの性能指標を直接的に測定して評価し、ネットワークの問題点を発見することができる。従来のネットワーク最適化は、ドライブテストデータに基づいて、ドライブテスト機器により、受信レベル、品質などのネットワークデータを収集し、これらのデータを解析することによって、ネットワークの問題点を発見し、更に問題点が発生したエリアに対してネットワーク最適化を行う。このような方式は、一般的には、大量の労力、物資及びコストが必要であると共に、高い経験レベルのネットワーク最適化の作業者が求められている。第３世代パートナーシッププロジェクト（ｔｈｅ  ３ｒｄ  Ｇｅｎｅｒａｔｉｏｎ  Ｐａｒｔｎｅｒｓｈｉｐ  Ｐｒｏｊｅｃｔ：３ＧＰＰと略称される）においてドライブテスト最小化（Ｍｉｎｉｍｉｚａｔｉｏｎ  ｏｆ  Ｄｒｉｖｅ  Ｔｅｓｔｓ：ＭＤＴ）技術が議論されており、それは、主に、携帯電話から報告された測定レポートにより、ネットワーク最適化に必要な関連パラメータを取得する。ＭＤＴ技術によれば、下記の利点があり、即ち、１）ドライブテストのオーバーヘッドを低減させ、最適化周期を短縮し、それによって、移動通信事業者のネットワーク最適化及びメンテナンスコストを低減させる。２）狭路、森及び私的な場所のような、従来のドライブテストにより測定できない領域の測定情報を収集することができるため、ネットワーク性能をより客観的に評価することができ、ネットワークの評価結果を更にユーザ体験に適合させ、より高いユーザ満足度をもたらすことができる。３）従来のドライブテストの量を低減させることで、二酸化炭素の排出を低減させ、環境を保護する。
【０００３】
ＭＤＴをより有効させるために、その適用シーンは、現在、主にカバレッジ最適化、キャパシティ最適化、移動性最適化及びサービス品質（ＱｏＳ）確保などを含む。
【０００４】
現在、ＭＤＴ技術は、主に室外シーンに適用されており、室外シーンにおいて、ユーザ装置（ＵＥ）は、全地球測位システム（Ｇｌｏｂａｌ  Ｐｏｓｉｔｉｏｎｉｎｇ  Ｓｙｓｔｅｍ：ＧＰＳと略称される）に依存して測位及び情報報告を正確に行うことができる。しかしながら、移動通信技術の成長に伴い、ますます多くの移動通信及びトラヒックが室内で行われている。また、室内に配置されるブルートゥース（登録商標）装置及びワイヤレスフィディリティ（Ｗｉｒｅｌｅｓｓ  Ｆｉｄｅｌｉｔｙ：ＷＩＦＩと略称される）ネットワーク装置もますます多くなり、従来のＭＤＴ技術は、挑戦に直面している。例えば、従来のＭＤＴが依存したＧＰＳ測位は、室内で正常に作動できないため、測定不正を招く。従って、ＭＤＴ技術を如何に室内シーンに適用するかは、解決されるべき技術的課題である。ＵＥにより周辺のブルートゥース装置及び／又はＷＩＦＩ装置の情報を記録して報告すれば、該課題を解決できる可能性があるが、現在のＭＤＴメカニズムにおいて、コアネットワークは、無線ローカルエリアネットワーク（ＷＬＡＮ）に対して測定を行うか否かをＵＥに設定することができないため、ＵＥは、特定のＷＬＡＮに対してＭＤＴ測定を行うことができない。
【発明の概要】
【発明が解決しようとする課題】
【０００５】
これに鑑み、本出願は、コアネットワークに求められる、ＵＥによってＭＤＴに対して報告すべきのＷＬＡＮ測定情報を基地局に知らせ、ＵＥを、対応する測定及び結果報告を行うように設定するために、測定設定方法及び装置、測定報告方法及び装置、基地局、ユーザ装置並びにコンピュータ可読記憶媒体を提供する。
【課題を解決するための手段】
【０００６】
本出願の実施例の第１態様によれば、基地局に適用される測定設定方法を提供する。前記方法は、
コアネットワークからのドライブテスト最小化（ＭＤＴ）設定情報を受信し、前記ＭＤＴ設定情報が、ＭＤＴに対して無線ローカルエリアネットワーク（ＷＬＡＮ）アクセスポイント（ＡＰ）の測定情報を報告するようにユーザ装置（ＵＥ）を設定するためのものであることと、
前記ＭＤＴ設定情報に基づいて、前記ＵＥに測定設定情報を送信し、前記測定設定情報が、ＷＬＡＮ  ＡＰを測定し、前記ＷＬＡＮ  ＡＰの測定情報を報告するようにＵＥを設定するためのものであることとを含む。
【０００７】
幾つかの実施例において、前記方法は、
ターゲット基地局に前記ＭＤＴ設定情報を送信し、それによって、前記ターゲット基地局に、前記ＭＤＴ設定情報に基づいて、前記ターゲット基地局の所在するセルのＵＥに前記測定設定情報を送信させることを更に含む。
【０００８】
一実施例において、前記ＭＤＴ設定情報は、第１ＭＤＴ設定情報又は第２ＭＤＴ設定情報を含み、前記第１ＭＤＴ設定情報は、ＭＤＴに対してＷＬＡＮ  ＡＰのサービスセット識別子（ＳＳＩＤ）又は基本サービスセット識別子（ＢＳＳＩＤ）を報告するようにＵＥを設定するためのものであり、前記第２ＭＤＴ設定情報は、ＭＤＴに対してＷＬＡＮ  ＡＰの受信信号強度インジケータ（ＲＳＳＩ）及び往復遅延時間（ＲＴＴ）を報告するようにＵＥを設定するためのものである。
【０００９】
一実施例において、コアネットワークからのＭＤＴ設定情報を受信することは、
コアネットワークと基地局との間のインタフェースアプリケーションプロトコル（Ｓ１ＡＰ）のＭＤＴ設定シグナリングを介して、前記第１ＭＤＴ設定情報を受信し、前記Ｓ１ＡＰのＭＤＴ設定シグナリングにおける測定アクティブ化情報ユニットに前記第１ＭＤＴ設定情報が付加されること、又は、
コアネットワークと基地局との間のインタフェースアプリケーションプロトコル（Ｓ１ＡＰ）のＭＤＴ設定シグナリングを介して、前記第２ＭＤＴ設定情報を受信し、前記Ｓ１ＡＰのＭＤＴ設定シグナリングにおける測定アクティブ化情報ユニットに前記第２ＭＤＴ設定情報が付加されることを含む。
【００１０】
一実施例において、前記ターゲット基地局に前記ＭＤＴ設定情報を送信することは、
基地局と基地局との間のインタフェースアプリケーションプロトコル（Ｘ２ＡＰ）のＭＤＴ設定シグナリングを介して、前記ターゲット基地局に前記第１ＭＤＴ設定情報を送信し、前記Ｘ２ＡＰのＭＤＴ設定シグナリングにおける測定アクティブ化情報ユニットに前記第１ＭＤＴ設定情報が付加されること、又は、
基地局と基地局との間のインタフェースアプリケーションプロトコル（Ｘ２ＡＰ）のＭＤＴ設定シグナリングを介して、前記ターゲット基地局に前記第２ＭＤＴ設定情報を送信し、前記Ｘ２ＡＰのＭＤＴ設定シグナリングにおける測定アクティブ化情報ユニットに前記第２ＭＤＴ設定情報が付加されることを含む。
【００１１】
一実施例において、前記測定設定情報は更に、前記ＷＬＡＮ  ＡＰの測定情報の報告トリガ条件を設定するために用いられ、前記報告トリガ条件は少なくとも１つの無線測定イベントを含む。
【００１２】
一実施例において、前記少なくとも１つの無線測定イベントは、新たな無線測定イベント又は複数の既存の無線測定イベントを含み、前記新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含む。
【００１３】
本出願の実施例の第２態様によれば、ユーザ装置（ＵＥ）に適用される測定報告方法を提供する。前記方法は、
基地局からの測定設定情報を受信し、前記測定設定情報が、無線ローカルエリアネットワーク（ＷＬＡＮ）アクセスポイント（ＡＰ）を測定し、前記ＷＬＡＮ  ＡＰの測定情報を報告するようにＵＥを設定するためのものであることと、
前記測定設定情報に基づいてＷＬＡＮ  ＡＰを測定することと、
前記ＷＬＡＮ  ＡＰの測定情報を報告することとを含む。
【００１４】
一実施例において、前記ＷＬＡＮ  ＡＰの測定情報は、前記ＷＬＡＮ  ＡＰのサービスセット識別子（ＳＳＩＤ）又は基本サービスセット識別子（ＢＳＳＩＤ）を含むか、又は前記ＷＬＡＮ  ＡＰの受信信号強度インジケータ（ＲＳＳＩ）及び往復遅延時間（ＲＴＴ）を含む。
【００１５】
一実施例において、前記測定設定情報は更に、前記ＷＬＡＮ  ＡＰの測定情報の報告トリガ条件を設定するために用いられ、前記報告トリガ条件は少なくとも１つの無線測定イベントを含む。
【００１６】
一実施例において、前記ＷＬＡＮ  ＡＰの測定情報を報告することは、
現在条件が前記報告トリガ条件を満たした場合、前記ＷＬＡＮ  ＡＰの測定情報を報告することを含む。
【００１７】
一実施例において、前記少なくとも１つの無線測定イベントは、新たな無線測定イベント又は複数の既存の無線測定イベントを含み、前記新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含む。
【００１８】
本出願の実施例の第３態様によれば、基地局に適用される測定設定装置を提供する。前記装置は、
コアネットワークからのドライブテスト最小化（ＭＤＴ）設定情報を受信するように構成される受信モジュールであって、前記ＭＤＴ設定情報が、ＭＤＴに対して無線ローカルエリアネットワーク（ＷＬＡＮ）アクセスポイント（ＡＰ）の測定情報を報告するようにユーザ装置（ＵＥ）を設定するためのものである受信モジュールと、
前記受信モジュールにより受信された前記ＭＤＴ設定情報に基づいて、前記ＵＥに測定設定情報を送信するように構成される第１送信モジュールであって、前記測定設定情報が、ＷＬＡＮ  ＡＰを測定し、前記ＷＬＡＮ  ＡＰの測定情報を報告するようにＵＥを設定するためのものである第１送信モジュールとを備える。
【００１９】
一実施例において、前記装置は、
前記受信モジュールにより前記ＭＤＴ設定情報を受信してから、ターゲット基地局に前記ＭＤＴ設定情報を送信し、それによって、前記ターゲット基地局に、前記ＭＤＴ設定情報に基づいて、前記ターゲット基地局の所在するセルのＵＥに前記測定設定情報を送信させるように構成される第２送信モジュールを更に備える。
【００２０】
一実施例において、前記ＭＤＴ設定情報は、第１ＭＤＴ設定情報又は第２ＭＤＴ設定情報を含み、前記第１ＭＤＴ設定情報は、ＭＤＴに対してＷＬＡＮ  ＡＰのサービスセット識別子（ＳＳＩＤ）又は基本サービスセット識別子（ＢＳＳＩＤ）を報告するようにＵＥを設定するためのものであり、前記第２ＭＤＴ設定情報は、ＭＤＴに対してＷＬＡＮ  ＡＰの受信信号強度インジケータ（ＲＳＳＩ）及び往復遅延時間（ＲＴＴ）を報告するようにＵＥを設定するためのものである。
【００２１】
一実施例において、前記受信モジュールは、
コアネットワークと基地局との間のインタフェースアプリケーションプロトコル（Ｓ１ＡＰ）のＭＤＴ設定シグナリングを介して、前記第１ＭＤＴ設定情報を受信するように構成される第１受信サブモジュールであって、前記Ｓ１ＡＰのＭＤＴ設定シグナリングにおける測定アクティブ化情報ユニットに前記第１ＭＤＴ設定情報が付加される第１受信サブモジュール、又は、
コアネットワークと基地局との間のインタフェースアプリケーションプロトコル（Ｓ１ＡＰ）のＭＤＴ設定シグナリングを介して、前記第２ＭＤＴ設定情報を受信するように構成される第２受信サブモジュールであって、前記Ｓ１ＡＰのＭＤＴ設定シグナリングにおける測定アクティブ化情報ユニットに前記第２ＭＤＴ設定情報が付加される第２受信サブモジュールを備える。
【００２２】
一実施例において、前記第２送信モジュールは、
基地局と基地局との間のインタフェースアプリケーションプロトコル（Ｘ２ＡＰ）のＭＤＴ設定シグナリングを介して、前記ターゲット基地局に前記第１ＭＤＴ設定情報を送信するように構成される第１送信サブモジュールであって、前記Ｘ２ＡＰのＭＤＴ設定シグナリングにおける測定アクティブ化情報ユニットに前記第１ＭＤＴ設定情報が付加される第１送信サブモジュール、又は、
基地局と基地局との間のインタフェースアプリケーションプロトコル（Ｘ２ＡＰ）のＭＤＴ設定シグナリングを介して、前記ターゲット基地局に前記第２ＭＤＴ設定情報を送信するように構成される第２送信サブモジュールであって、前記Ｘ２ＡＰのＭＤＴ設定シグナリングにおける測定アクティブ化情報ユニットに前記第２ＭＤＴ設定情報が付加される第２送信サブモジュールを備える。
【００２３】
一実施例において、前記測定設定情報は更に、前記ＷＬＡＮ  ＡＰの測定情報の報告トリガ条件を設定するために用いられ、前記報告トリガ条件は少なくとも１つの無線測定イベントを含む。
【００２４】
一実施例において、前記少なくとも１つの無線測定イベントは、新たな無線測定イベント又は複数の既存の無線測定イベントを含み、前記新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含む。
【００２５】
本出願の実施例の第４態様によれば、ユーザ装置（ＵＥ）に適用される測定報告装置を提供する。前記装置は、
基地局からの測定設定情報を受信するように構成される受信モジュールであって、前記測定設定情報が、無線ローカルエリアネットワーク（ＷＬＡＮ）アクセスポイント（ＡＰ）を測定し、前記ＷＬＡＮ  ＡＰの測定情報を報告するようにＵＥを設定するためのものである受信モジュールと、
前記受信モジュールにより受信された前記測定設定情報に基づいてＷＬＡＮ  ＡＰを測定するように構成される測定モジュールと、
前記測定モジュールにより測定された前記ＷＬＡＮ  ＡＰの測定情報を報告するように構成される報告モジュールとを備える。
【００２６】
一実施例において、前記ＷＬＡＮ  ＡＰの測定情報は、前記ＷＬＡＮ  ＡＰのサービスセット識別子（ＳＳＩＤ）又は基本サービスセット識別子（ＢＳＳＩＤ）を含むか、又は前記ＷＬＡＮ  ＡＰの受信信号強度インジケータ（ＲＳＳＩ）及び往復遅延時間（ＲＴＴ）を含む。
【００２７】
一実施例において、前記測定設定情報は更に、前記ＷＬＡＮ  ＡＰの測定情報の報告トリガ条件を設定するために用いられ、前記報告トリガ条件は少なくとも１つの無線測定イベントを含む。
【００２８】
一実施例において、前記報告モジュールは、
現在条件が前記報告トリガ条件を満たした場合、前記ＷＬＡＮ  ＡＰの測定情報を報告するように構成される。
【００２９】
一実施例において、前記少なくとも１つの無線測定イベントは、新たな無線測定イベント又は複数の既存の無線測定イベントを含み、前記新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含む。
【００３０】
本出願の実施例の第５態様によれば、基地局を提供する。前記基地局は、
プロセッサと、
プロセッサによる実行可能な命令を記憶するためのメモリとを備え、
前記プロセッサは、
コアネットワークからのドライブテスト最小化（ＭＤＴ）設定情報を受信し、前記ＭＤＴ設定情報が、ＭＤＴに対して無線ローカルエリアネットワーク（ＷＬＡＮ）アクセスポイント（ＡＰ）の測定情報を報告するようにユーザ装置（ＵＥ）を設定するためのものであり、
前記ＭＤＴ設定情報に基づいて、前記ＵＥに測定設定情報を送信し、前記測定設定情報が、ＷＬＡＮ  ＡＰを測定し、前記ＷＬＡＮ  ＡＰの測定情報を報告するようにＵＥを設定するためのものであるように構成される。
【００３１】
本出願の実施例の第６態様によれば、ユーザ装置を提供する。前記ユーザ装置は、
プロセッサと、
プロセッサによる実行可能な命令を記憶するためのメモリとを備え、
前記プロセッサは、
基地局からの測定設定情報を受信し、前記測定設定情報が、無線ローカルエリアネットワーク（ＷＬＡＮ）アクセスポイント（ＡＰ）を測定し、前記ＷＬＡＮ  ＡＰの測定情報を報告するようにＵＥを設定するためのものであり、
前記測定設定情報に基づいてＷＬＡＮ  ＡＰを測定し、
前記ＷＬＡＮ  ＡＰの測定情報を報告するように構成される。
【００３２】
本出願の第７態様によれば、コンピュータ可読記憶媒体を提供する。前記コンピュータ可読記憶媒体にはコンピュータ命令が記憶されており、該命令がプロセッサにより実行される時、上記測定設定方法のステップを実現させる。
【００３３】
本出願の第８態様によれば、コンピュータ可読記憶媒体を提供する。前記コンピュータ可読記憶媒体にはコンピュータ命令が記憶されており、該命令がプロセッサにより実行される時、上記測定報告方法のステップを実現させる。
【発明の効果】
【００３４】
本出願の実施例で提供される技術的解決手段は、下記有益な効果を含む。
【００３５】
コアネットワークからのＭＤＴ設定情報を受信し、該ＭＤＴ設定情報に基づいてＵＥに測定設定情報を送信することで、コアネットワークに求められる、ＵＥによってＭＤＴに対して報告すべきのＷＬＡＮ測定情報を知ることができる。これにより、ＵＥを、対応する測定及び結果報告を行うように設定することができる。
【００３６】
基地局からの測定設定情報を受信し、該測定設定情報に基づいてＷＬＡＮ  ＡＰを測定し、ＷＬＡＮ  ＡＰの測定情報を報告することで、ＵＥによるＷＬＡＮのＭＤＴ測定を実現させる。
【００３７】
上記の一般的な説明及び後述する細部に関する説明は、例示及び説明のためのものに過ぎず、本出願を限定するものではないことが理解されるべきである。
【図面の簡単な説明】
【００３８】
【図１】本出願の一例示的な実施例による測定設定方法を示すフローチャートである。
【図２】本出願の一例示的な実施例によるもう１つの測定設定方法を示すフローチャートである。
【図３】本出願の一例示的な実施例による測定報告方法を示すフローチャートである。
【図４】本出願の一例示的な実施例による測定報告方法のシグナリングを示すフローチャートである。
【図５】一例示的な実施例による測定設定装置を示すブロック図である。
【図６】一例示的な実施例によるもう１つの測定設定装置を示すブロック図である。
【図７】一例示的な実施例によるもう１つの測定設定装置を示すブロック図である。
【図８】一例示的な実施例によるもう１つの測定設定装置を示すブロック図である。
【図９】一例示的な実施例による測定報告装置を示すブロック図である。
【図１０】一例示的な実施例による測定設定に適用される装置を示すブロック図である。
【図１１】一例示的な実施例による測定報告に適用される装置を示すブロック図である。
【００３９】
ここで添付した図面は、明細書に引き入れて本明細書の一部分を構成し、本発明に適合する実施例を示し、かつ、明細書とともに本出願の原理を解釈することに用いられる。
【発明を実施するための形態】
【００４０】
ここで、例示的な実施例を詳細に説明し、その例を図面に示す。以下の記述が図面に係る場合、別途にて示さない限り、異なる図面における同じ数字は、同じまたは類似する要素を示す。以下の例示的な実施例において記述する実施形態は、本発明の実施例に合致するすべての実施形態を代表するものではない。一方、それらは、添付された特許請求の範囲に詳細に記載されたような、本発明の一部の形態に合致する装置及び方法の例に過ぎない。
【００４１】
図１は、本出願の一例示的な実施例による測定設定方法を示すフローチャートである。該実施例は、基地局の観点から説明する。図１に示すように、該測定設定方法は、以下を含む。
【００４２】
ステップＳ１０１において、コアネットワークからのＭＤＴ設定情報を受信し、該ＭＤＴ設定情報が、ＭＤＴに対してＷＬＡＮアクセスポイント（ＡＰ）の測定情報を報告するようにＵＥを設定するためのものである。
【００４３】
ここで、ＭＤＴ設定情報は、第１ＭＤＴ設定情報又は第２ＭＤＴ設定情報を含んでもよい。第１ＭＤＴ設定情報は、ＭＤＴに対してＷＬＡＮ  ＡＰのサービスセット識別子（ＳＳＩＤ）又は基本サービスセット識別子（ＢＳＳＩＤ）を報告するようにＵＥを設定するためのものであり、第２ＭＤＴ設定情報は、ＭＤＴに対してＷＬＡＮ  ＡＰの受信信号強度インジケータ（ＲＳＳＩ）及び往復遅延時間（ＲＴＴ）を報告するようにＵＥを設定するためのものである。
【００４４】
該実施例において、下記方式でコアネットワークからのＭＤＴ設定情報を受信することができる。
【００４５】
方式１１）コアネットワークと基地局との間のインタフェースアプリケーションプロトコル（Ｓ１ＡＰ）のＭＤＴ設定（Ｃｏｎｆｉｇｕｒａｔｉｏｎ）シグナリングにより、第１ＭＤＴ設定情報を受信し、Ｓ１ＡＰのＭＤＴ設定シグナリングにおける測定アクティブ化（Ｍｅａｓｕｒｅｍｅｎｔｓ  ｔｏ  Ａｃｔｉｖａｔｅ）情報ユニットに第１ＭＤＴ設定情報が付加される。
【００４６】
方式１２）Ｓ１ＡＰのＭＤＴ設定シグナリングを介して、第２ＭＤＴ設定情報を受信し、Ｓ１ＡＰのＭＤＴ設定シグナリングにおける測定アクティブ化情報ユニットに第２ＭＤＴ設定情報が付加される。
【００４７】
該実施例において、Ｓ１ＡＰのＭＤＴ設定シグナリングを介して、第１ＭＤＴ設定情報又は第２ＭＤＴ設定情報を受信することで、異なる測定情報を報告するようにＵＥを設定することができる。
【００４８】
ステップＳ１０２において、ＭＤＴ設定情報に基づいて、ＵＥに測定設定情報を送信し、該測定設定情報が、ＷＬＡＮ  ＡＰを測定し、ＷＬＡＮ  ＡＰの測定情報を報告するようにＵＥを設定するためのものである。
【００４９】
任意選択的に、測定設定情報は更に、ＷＬＡＮ  ＡＰの測定情報の報告トリガ条件を設定するために用いられ、該報告トリガ条件は少なくとも１つの無線測定イベントを含んでもよい。少なくとも１つの無線測定イベントは、新たな無線測定イベント又は複数の既存の無線測定イベントを含む。新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含む。既存の無線測定イベントは、ＷＬＡＮ信号が第３閾値より大きいこと、ＷＬＡＮモビリティセットにおける全てのＷＬＡＮ信号がいずれも第４閾値より小さくて、且つＷＬＡＮモビリティセット外の１つのＷＬＡＮ信号が第５閾値より大きいこと、ＷＬＡＮモビリティセットにおける全てのＷＬＡＮ信号がいずれも第６閾値より小さいことを含んでもよいが、これらに限定されない。
【００５０】
ここで、上記第１閾値、第２閾値、第３閾値、第４閾値、第５閾値及び第６閾値は、必要に応じて柔軟に設定されてもよい。
【００５１】
上記実施例において、コアネットワークからのＭＤＴ設定情報を受信し、該ＭＤＴ設定情報に基づいてＵＥに測定設定情報を送信することで、コアネットワークに求められる、ＵＥによってＭＤＴに対して報告すべきのＷＬＡＮ測定情報を知ることができる。これにより、ＵＥを、対応する測定及び結果報告を行うように設定することができる。
【００５２】
図２は、本出願の一例示的な実施例によるもう１つの測定設定方法を示すフローチャートである。図２に示すように、上記ステップＳ１０１の後、該方法は、以下を更に含んでもよい。
【００５３】
ステップＳ１０３において、ターゲット基地局にＭＤＴ設定情報を送信し、ターゲット基地局に、ＭＤＴ設定情報に基づいて、ターゲット基地局の所在するセルのＵＥに測定設定情報を送信させる。
【００５４】
ここで、ＭＤＴ設定情報は、第１ＭＤＴ設定情報又は第２ＭＤＴ設定情報を含んでもよい。第１ＭＤＴ設定情報は、ＭＤＴに対してＷＬＡＮ  ＡＰのサービスセット識別子（ＳＳＩＤ）又は基本サービスセット識別子（ＢＳＳＩＤ）を報告するようにＵＥを設定するためのものであり、第２ＭＤＴ設定情報は、ＭＤＴに対してＷＬＡＮ  ＡＰの受信信号強度インジケータ（ＲＳＳＩ）及び往復遅延時間（ＲＴＴ）を報告するようにＵＥを設定するためのものである。
【００５５】
ここで、下記方式でターゲット基地局にＭＤＴ設定情報を送信することができる。
【００５６】
方式２１）基地局と基地局との間のインタフェースアプリケーションプロトコル（Ｘ２ＡＰ）のＭＤＴ設定シグナリングを介して、ターゲット基地局に第２ＭＤＴ設定情報を送信し、Ｘ２ＡＰのＭＤＴ設定シグナリングにおける測定アクティブ化情報ユニットに第１ＭＤＴ設定情報が付加される。
【００５７】
方式２２）Ｘ２ＡＰのＭＤＴ設定シグナリングを介してターゲット基地局に第２ＭＤＴ設定情報を送信し、Ｘ２ＡＰのＭＤＴ設定シグナリングにおける測定アクティブ化情報ユニットに第２ＭＤＴ設定情報が付加される。
【００５８】
該実施例において、Ｘ２ＡＰのＭＤＴ設定シグナリングを介して、ターゲット基地局に第１ＭＤＴ設定情報又は第２ＭＤＴ設定情報を送信することができる。従って、ターゲット基地局は、ターゲット基地局の所在するセルのＵＥに異なる測定設定情報を送信することができるようになる。
【００５９】
ターゲット基地局の所在するセルのＵＥは、ターゲット基地局からの測定設定情報を受信してから、測定設定情報に基づいてＷＬＡＮ  ＡＰを測定し、ＷＬＡＮ  ＡＰの測定情報を報告することができる。
【００６０】
上記実施例において、ターゲット基地局にＭＤＴ設定情報を送信する。従って、ターゲット基地局は、ＭＤＴ設定情報に基づいて、ターゲット基地局の所在するセルのＵＥに測定設定情報を送信することができる。つまり、ターゲット基地局の所在するセルのＵＥを、対応する測定及び結果報告を行うように設定することができる。
【００６１】
図３は、本出願の一例示的な実施例による測定報告方法を示すフローチャートである。該実施例は、ＵＥの観点から説明する。図３に示すように、該方法は、以下を含む。
【００６２】
ステップＳ３０１において、基地局からの測定設定情報を受信し、該測定設定情報が、ＷＬＡＮ  ＡＰを測定し、ＷＬＡＮ  ＡＰの測定情報を報告するようにＵＥを設定するためのものである。
【００６３】
ここで、ＷＬＡＮ  ＡＰの測定情報は、ＷＬＡＮ  ＡＰ的ＳＳＩＤ又はＢＳＳＩＤを含んでもよいし、ＷＬＡＮ  ＡＰのＲＳＳＩ及びＲＴＴを含んでもよい。
【００６４】
任意選択的に、測定設定情報は更に、前記ＷＬＡＮ  ＡＰの測定情報の報告トリガ条件を設定するために用いられ、該報告トリガ条件は少なくとも１つの無線測定イベントを含む。少なくとも１つの無線測定イベントは、新たな無線測定イベント又は複数の既存の無線測定イベントを含む。新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含む。既存の無線測定イベントは、ＷＬＡＮ信号が第３閾値より大きいこと、ＷＬＡＮモビリティセットにおける全てのＷＬＡＮ信号がいずれも第４閾値より小さくて、且つＷＬＡＮモビリティセット外の１つのＷＬＡＮ信号が第５閾値より大きいこと、ＷＬＡＮモビリティセットにおける全てのＷＬＡＮ信号がいずれも第６閾値より小さいことを含んでもよいが、これらに限定されない。
【００６５】
ここで、上記第１閾値、第２閾値、第３閾値、第４閾値、第５閾値及び第６閾値は、必要に応じて柔軟に設定されてもよい。
【００６６】
ステップＳ３０２において、該測定設定情報に基づいてＷＬＡＮ  ＡＰを測定する。
【００６７】
ステップＳ３０３において、ＷＬＡＮ  ＡＰの測定情報を報告する。
【００６８】
該実施例において、測定設定情報が更に、前記ＷＬＡＮ  ＡＰの測定情報の報告トリガ条件を設定するために用いられると、現在条件が報告トリガ条件を満たした場合、ＷＬＡＮ  ＡＰの測定情報を報告する。
【００６９】
上記実施例において、基地局からの測定設定情報を受信し、該測定設定情報に基づいてＷＬＡＮ  ＡＰを測定し、ＷＬＡＮ  ＡＰの測定情報を報告することで、ＵＥによるＷＬＡＮのＭＤＴ測定を実現させる。
【００７０】
図４は、本出願の一例示的な実施例による測定報告方法のシグナリングを示すフローチャートである。該実施例は、コアネットワーク、基地局及びＵＥのインタラクションの観点から説明する。図４に示すように、該測定報告方法は、以下を含む。
【００７１】
ステップＳ４０１において、コアネットワークが基地局にＭＤＴ設定情報を送信し、該ＭＤＴ設定情報は、ＭＤＴに対してＷＬＡＮアクセスポイント（ＡＰ）の測定情報を報告するようにＵＥを設定するためのものである。
【００７２】
ステップＳ４０２において、基地局が、受信したＭＤＴ設定情報に基づいてＵＥに測定設定情報を送信し、該測定設定情報は、ＷＬＡＮ  ＡＰを測定し、ＷＬＡＮ  ＡＰの測定情報を報告するようにＵＥを設定するためのものである。
【００７３】
ステップＳ４０３において、ＵＥが、基地局からの測定設定情報を受信する。
【００７４】
ステップＳ４０４において、ＵＥが、測定設定情報に基づいてＷＬＡＮ  ＡＰを測定する。
【００７５】
ステップＳ４０５において、ＵＥが、基地局にＷＬＡＮ  ＡＰの測定情報を報告する。
【００７６】
上記実施例において、コアネットワーク、基地局及びＵＥのインタラクションにより、基地局は、コアネットワークに求められる、ＵＥによってＭＤＴに対して報告すべきのＷＬＡＮ測定情報を知ることができる。これにより、ＵＥを、対応する測定及び結果報告を行うように設定することができる。
【００７７】
図５は、一例示的な実施例による測定設定装置を示すブロック図である。該測定設定装置は、基地局に位置してもよい。図５に示すように、該装置は、受信モジュール５１と第１送信モジュール５２とを備える。
【００７８】
受信モジュール５１は、コアネットワークからのドライブテスト最小化（ＭＤＴ）設定情報を受信するように構成され、ＭＤＴ設定情報が、ＭＤＴに対して無線ローカルエリアネットワーク（ＷＬＡＮ）アクセスポイント（ＡＰ）の測定情報を報告するようにユーザ装置（ＵＥ）を設定するためのものである。
【００７９】
ここで、ＭＤＴ設定情報は、第１ＭＤＴ設定情報又は第２ＭＤＴ設定情報を含んでもよい。第１ＭＤＴ設定情報は、ＭＤＴに対してＷＬＡＮ  ＡＰのサービスセット識別子（ＳＳＩＤ）又は基本サービスセット識別子（ＢＳＳＩＤ）を報告するようにＵＥを設定するためのものであり、第２ＭＤＴ設定情報は、ＭＤＴに対してＷＬＡＮ  ＡＰの受信信号強度インジケータ（ＲＳＳＩ）及び往復遅延時間（ＲＴＴ）を報告するようにＵＥを設定するためのものである。
【００８０】
第１送信モジュール５２は、受信モジュール５１により受信されたＭＤＴ設定情報に基づいて、ＵＥに測定設定情報を送信するように構成され、測定設定情報が、ＷＬＡＮ  ＡＰを測定し、前記ＷＬＡＮ  ＡＰの測定情報を報告するようにＵＥを設定するためのものである。
【００８１】
任意選択的に、測定設定情報は更に、ＷＬＡＮ  ＡＰの測定情報の報告トリガ条件を設定するために用いられ、該報告トリガ条件は少なくとも１つの無線測定イベントを含んでもよい。少なくとも１つの無線測定イベントは、新たな無線測定イベント又は複数の既存の無線測定イベントを含む。新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含む。既存の無線測定イベントは、ＷＬＡＮ信号が第３閾値より大きいこと、ＷＬＡＮモビリティセットにおける全てのＷＬＡＮ信号がいずれも第４閾値より小さくて、且つＷＬＡＮモビリティセット外の１つのＷＬＡＮ信号が第５閾値より大きいこと、ＷＬＡＮモビリティセットにおける全てのＷＬＡＮ信号がいずれも第６閾値より小さいことを含んでもよいが、これらに限定されない。
【００８２】
ここで、上記第１閾値、第２閾値、第３閾値、第４閾値、第５閾値及び第６閾値は、必要に応じて柔軟に設定されてもよい。
【００８３】
上記実施例において、コアネットワークからのＭＤＴ設定情報を受信し、該ＭＤＴ設定情報に基づいてＵＥに測定設定情報を送信することで、コアネットワークに求められる、ＵＥによってＭＤＴに対して報告すべきのＷＬＡＮ測定情報を知ることができる。これにより、ＵＥを、対応する測定及び結果報告を行うように設定することができる。
【００８４】
図６は、一例示的な実施例によるもう１つの測定設定装置を示すブロック図である。図６に示すように、上記図５に示した実施例を基礎として、該装置は、第２送信モジュール５３を更に備えてもよい。
【００８５】
第２送信モジュール５３は、受信モジュール５１によりＭＤＴ設定情報を受信してから、ターゲット基地局にＭＤＴ設定情報を送信し、ターゲット基地局に、ＭＤＴ設定情報に基づいて、ターゲット基地局の所在するセルのＵＥに測定設定情報を送信させるように構成される。
【００８６】
ターゲット基地局の所在するセルのＵＥは、ターゲット基地局からの測定設定情報を受信してから、測定設定情報に基づいてＷＬＡＮ  ＡＰを測定し、ＷＬＡＮ  ＡＰの測定情報を報告することができる。
【００８７】
上記実施例において、ターゲット基地局にＭＤＴ設定情報を送信する。従って、ターゲット基地局は、ＭＤＴ設定情報に基づいて、ターゲット基地局の所在するセルのＵＥに測定設定情報を送信することができる。つまり、ターゲット基地局の所在するセルのＵＥを、対応する測定及び結果報告を行うように設定することができる。
【００８８】
図７は、一例示的な実施例によるもう１つの測定設定装置を示すブロック図である。図７に示すように、上記図５に示した実施例を基礎として、受信モジュール５１は、第１受信サブモジュール５１１又は第２受信サブモジュール５１２を備えてもよい。
【００８９】
第１受信サブモジュール５１１は、コアネットワークと基地局との間のインタフェースアプリケーションプロトコル（Ｓ１ＡＰ）のＭＤＴ設定シグナリングを介して、第１ＭＤＴ設定情報を受信するように構成され、Ｓ１ＡＰのＭＤＴ設定シグナリングにおける測定アクティブ化情報ユニットに第１ＭＤＴ設定情報が付加される。
【００９０】
第２受信サブモジュール５１２は、コアネットワークと基地局との間のインタフェースアプリケーションプロトコル（Ｓ１ＡＰ）のＭＤＴ設定シグナリングを介して、第２ＭＤＴ設定情報を受信するように構成され、Ｓ１ＡＰのＭＤＴ設定シグナリングにおける測定アクティブ化情報ユニットに第２ＭＤＴ設定情報が付加される。
【００９１】
上記実施例において、Ｓ１ＡＰのＭＤＴ設定シグナリングを介して、第１ＭＤＴ設定情報又は第２ＭＤＴ設定情報を受信することで、異なる測定情報を報告するようにＵＥを設定することができる。
【００９２】
図８は、一例示的な実施例によるもう１つの測定設定装置を示すブロック図である。図８に示すように、上記図６に示した実施例を基礎として、第２送信モジュール５３は、第１送信サブモジュール５３１又は第２送信サブモジュール５３２を備えてもよい。
【００９３】
第１送信サブモジュール５３１は、基地局と基地局との間のインタフェースアプリケーションプロトコル（Ｘ２ＡＰ）のＭＤＴ設定シグナリングを介して、ターゲット基地局に第１ＭＤＴ設定情報を送信し、Ｘ２ＡＰのＭＤＴ設定シグナリングにおける測定アクティブ化情報ユニットに第１ＭＤＴ設定情報が付加されるように構成される。
【００９４】
第２送信サブモジュール５３２は、基地局と基地局との間のインタフェースアプリケーションプロトコル（Ｘ２ＡＰ）のＭＤＴ設定シグナリングを介して、ターゲット基地局に第２ＭＤＴ設定情報を送信し、Ｘ２ＡＰのＭＤＴ設定シグナリングにおける測定アクティブ化情報ユニットに第２ＭＤＴ設定情報が付加されるように構成される。
【００９５】
上記実施例において、Ｘ２ＡＰのＭＤＴ設定シグナリングを介して、ターゲット基地局に第１ＭＤＴ設定情報又は第２ＭＤＴ設定情報を送信することができる。これにより、ターゲット基地局は、ターゲット基地局の所在するセルのＵＥに異なる測定設定情報を送信することができるようになる。
【００９６】
図９は、一例示的な実施例による測定報告装置を示すブロック図である。該装置は、ＵＥに位置してもよい。図９に示すように、該装置は、受信モジュール９１と、測定モジュール９２と、報告モジュール９３とを備える。
【００９７】
受信モジュール９１は、基地局からの測定設定情報を受信し、測定設定情報が、ＵＥによる無線ローカルエリアネットワーク（ＷＬＡＮ）アクセスポイント（ＡＰ）の測定及びＷＬＡＮ  ＡＰの測定情報の報告を設定するためのものであるように構成される。
【００９８】
ここで、ＷＬＡＮ  ＡＰの測定情報は、ＷＬＡＮ  ＡＰのＳＳＩＤ又はＢＳＳＩＤを含んでもよいし、ＷＬＡＮ  ＡＰのＲＳＳＩ及びＲＴＴを含んでもよい。
【００９９】
任意選択的に、測定設定情報は更に、ＷＬＡＮ  ＡＰの測定情報の報告トリガ条件を設定するために用いられ、該報告トリガ条件は少なくとも１つの無線測定イベントを含んでもよい。少なくとも１つの無線測定イベントは、新たな無線測定イベント又は複数の既存の無線測定イベントを含む。新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含む。既存の無線測定イベントは、ＷＬＡＮ信号が第３閾値より大きいこと、ＷＬＡＮモビリティセットにおける全てのＷＬＡＮ信号がいずれも第４閾値より小さくて、且つＷＬＡＮモビリティセット外の１つのＷＬＡＮ信号が第５閾値より大きいこと、ＷＬＡＮモビリティセットにおける全てのＷＬＡＮ信号がいずれも第６閾値より小さいことを含んでもよいが、これらに限定されない。
【０１００】
ここで、上記第１閾値、第２閾値、第３閾値、第４閾値、第５閾値及び第６閾値は、必要に応じて柔軟に設定されてもよい。
【０１０１】
測定モジュール９２は、受信モジュール９１により受信された測定設定情報に基づいてＷＬＡＮ  ＡＰを測定するように構成される。
【０１０２】
報告モジュール９３は、測定モジュール９２により測定されたＷＬＡＮ  ＡＰの測定情報を報告するように構成される。
【０１０３】
該実施例において、測定設定情報が更に、ＷＬＡＮ  ＡＰの測定情報の報告トリガ条件を設定するために用いられると、報告モジュール９３は、現在条件が報告トリガ条件を満たした場合、ＷＬＡＮ  ＡＰの測定情報を報告するように設定されてもよい。
【０１０４】
上記実施例において、基地局からの測定設定情報を受信し、該測定設定情報に基づいてＷＬＡＮ  ＡＰを測定し、ＷＬＡＮ  ＡＰの測定情報を報告することで、ＵＥによるＷＬＡＮのＭＤＴ測定を実現させる。
【０１０５】
図１０は、一例示的な実施例によるもう１つの測定設定に適用される装置を示すブロック図である。装置１０００は基地局として提供されてもよい。図１０を参照すると、装置１０００は、処理ユニット１０２２と、無線送信／受信ユニット１０２４と、アンテナユニット１０２６と、無線インタフェースに固有の信号処理部分とを備える。処理ユニット１０２２は、１つ又は複数のプロセッサを更に備えてもよい。
【０１０６】
処理ユニット１０２２における１つのプロセッサは、
コアネットワークからのドライブテスト最小化（ＭＤＴ）設定情報を受信し、ＭＤＴ設定情報が、ＭＤＴに対して無線ローカルエリアネットワーク（ＷＬＡＮ）アクセスポイント（ＡＰ）の測定情報を報告するようにユーザ装置（ＵＥ）を設定するためのものであり、
ＭＤＴ設定情報に基づいて、ＵＥに測定設定情報を送信し、測定設定情報が、ＷＬＡＮ  ＡＰを測定し、前記ＷＬＡＮ  ＡＰの測定情報を報告するようにＵＥを設定するためのものであるように構成される。
【０１０７】
例示的な実施例において、命令を記憶した非一時的コンピュータ可読記憶媒体を更に提供する。上記命令は、装置１０００の処理ユニット１０２２により実行され上記測定設定方法を完了する。例えば、非一時的コンピュータ可読記憶媒体はＲＯＭ、ランダムアクセスメモリ（ＲＡＭ）、ＣＤ−ＲＯＭ、磁気テープ、フロッピーディスク（登録商標）、光データ記憶装置等であってもよい。
【０１０８】
図１１は、一例示的な実施例による測定報告に適用される装置を示すブロック図である。例えば、装置１１００は、携帯電話、コンピュータ、デジタル放送端末、メッセージング装置、ゲームコンソール、タブレットデバイス、医療機器、フィットネス機器、パーソナルデジタルアシスタントなどのユーザ装置であってもよい。
【０１０９】
図１１を参照すると、装置１１００は、処理ユニット１１０２、メモリ１１０４、電源ユニット１１０６、マルチメディアユニット１１０８、オーディオユニット１１１０、入力／出力（Ｉ／Ｏ）インタフェース１１１２、センサユニット１１１４及び通信ユニット１１１６のうちの１つ又は複数を備えてもよい。
【０１１０】
処理ユニット１１０２は一般的には、装置１１００の全体操作を制御する。例えば、表示、通話呼、データ通信、カメラ操作及び記録操作に関連する操作を制御する。処理ユニット１１０２は、指令を実行するための１つ又は複数のプロセッサ１１２０を備えてもよい。それにより上記方法の全て又は一部のステップを実行する。なお、処理ユニット１１０２は、他のユニットとのインタラクションのために、１つ又は複数のモジュールを備えてもよい。例えば、処理ユニット１１０２はマルチメディアモジュールを備えることで、マルチメディアユニット１１０８と処理ユニット１１０２とのインタラクションに寄与する。
【０１１１】
処理ユニット１１０２における１つのプロセッサ１１２０は、
基地局からの測定設定情報を受信し、該測定設定情報が、ＵＥによる無線ローカルエリアネットワーク（ＷＬＡＮ）アクセスポイント（ＡＰ）の測定及びＷＬＡＮ  ＡＰの測定情報の報告を設定するためのものであり、
測定設定情報に基づいてＷＬＡＮ  ＡＰを測定し、
ＷＬＡＮ  ＡＰの測定情報を報告するように構成されてもよい。
【０１１２】
メモリ１１０４は、各種のデータを記憶することで装置１１００における操作をサポートするように構成される。これらのデータの例として、装置１１００上で操作れる如何なるアプリケーション又は方法の命令、連絡先データ、電話帳データ、メッセージ、イメージ、ビデオ等を含む。メモリ１１０４は任意のタイプの揮発性または不揮発性記憶装置、あるいはこれらの組み合わせにより実現される。例えば、スタティックランダムアクセスメモリ（ＳＲＡＭ）、電気的消去可能なプログラマブル読み出し専用メモリ（ＥＥＰＲＯＭ）、電気的に消去可能なプログラマブル読出し専用メモリ（ＥＰＲＯＭ）、プログラマブル読出し専用メモリ（ＰＲＯＭ）、読出し専用メモリ（ＲＯＭ）、磁気メモリ、フラッシュメモリ、磁気もしくは光ディスクを含む。
【０１１３】
電源ユニット１１０６は装置１１００の様々なユニットに電力を提供する。電源ユニット１１０６は、電源管理システム、１つ又は複数の電源、及び装置１１００のための電力生成、管理、分配に関連する他のユニットを備えてもよい。
【０１１４】
マルチメディアユニット１１０８は、上記装置１１００とユーザとの間に出力インタフェースを提供するためのスクリーンを備える。幾つかの実施例において、スクリーンは、液晶ディスプレイ（ＬＣＤ）及びタッチパネル（ＴＰ）を含む。スクリーンは、タッチパネルを含むと、タッチパネルとして実現され、ユーザからの入力信号を受信する。タッチパネルは、タッチ、スライド及びパネル上のジェスチャを感知する１つ又は複数のタッチセンサを備える。上記タッチセンサは、タッチ又はスライド動作の境界を感知するだけでなく、上記タッチ又はスライド操作に関連する持続時間及び圧力を検出することもできる。幾つかの実施例において、マルチメディアユニット１１０８は、フロントカメラ及び／又はリアカメラを備える。装置１１００が、撮影モード又は映像モードのような操作モードであれば、フロントカメラ及び／又はリアカメラは外部からのマルチメディアデータを受信することができる。各フロントカメラ及びリアカメラは固定した光学レンズシステム又は焦点及び光学ズーム能力を持つものであってもよい。
【０１１５】
オーディオユニット１１１０は、オーディオ信号を出力／入力するように構成される。例えば、オーディオユニット１１１０は、マイクロホン（ＭＩＣ）を備える。装置１１００が、通話モード、記録モード及び音声識別モードのような操作モードであれば、マイクロホンは、外部からのオーディオ信号を受信するように構成される。受信したオーディオ信号を更にメモリ１１０４に記憶するか、又は通信ユニット１１１６を経由して送信することができる。幾つかの実施例において、オーディオユニット１１１０は、オーディオ信号を出力するように構成されるスピーカーを更に備える。
【０１１６】
Ｉ／Ｏインタフェース１１１２は、処理ユニット１１０２と周辺インタフェースモジュールとの間のインタフェースを提供する。上記周辺インタフェースモジュールは、キーボード、クリックホイール、ボタン等であってもよい。これらのボタンは、ホームボダン、ボリュームボタン、スタートボタン及びロックボタンを含むが、これらに限定されない。
【０１１７】
センサユニット１１１４は、１つ又は複数のセンサを備え、装置１１００のために様々な状態の評価を行うように構成される。例えば、センサユニット１１１４は、装置１１００のオン／オフ状態、ユニットの相対的な位置決めを検出することができる。例えば、上記ユニットが装置１１００のディスプレイ及びキーパッドである。センサユニット１１１４は装置１１００又は装置１１００における１つのユニットの位置の変化、ユーザと装置１１００との接触の有無、装置１１００の方位又は加速／減速及び装置１１００の温度の変動を検出することもできる。センサユニット１１１４は近接センサを備えてもよく、いかなる物理的接触もない場合に周囲の物体の存在を検出するように構成される。センサユニット１１１４は、ＣＭＯＳ又はＣＣＤ画像センサのような光センサを備えてもよく、結像に適用されるように構成される。幾つかの実施例において、該センサユニット１１１４は、加速度センサ、ジャイロセンサ、磁気センサ、圧力センサ又は温度センサを備えてもよい。
【０１１８】
通信ユニット１１１６は、装置１１００と他の機器との有線又は無線方式の通信に寄与するように構成される。装置１１００は、ＷｉＦｉ、２Ｇ又は３Ｇ、又はそれらの組み合わせのような通信規格に基づいた無線ネットワークにアクセスできる。一例示的な実施例において、通信ユニット１１１６は放送チャネルを経由して外部放送チャネル管理システムからの放送信号又は放送関連する情報を受信する。一例示的な実施例において、通信ユニット１１１６は、近接場通信（ＮＦＣ）モジュールを更に備えることで近距離通信を促進する。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）技術及び他の技術に基づいて実現される。
【０１１９】
例示的な実施例において、装置１１００は、１つ又は複数の特定用途向け集積回路（ＡＳＩＣ）、デジタル信号プロセッサ（ＤＳＰ）、デジタル信号処理機器（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子素子により実現され、上記方法を実行するように構成されてもよい。
【０１２０】
例示的な実施例において、命令を記憶したメモリ１１０４のような非一時的コンピュータ可読記憶媒体を更に提供する。上記命令は、装置１１００のプロセッサ１１２０により実行され上記方法を完了する。例えば、前記非一時的コンピュータ可読記憶媒体はＲＯＭ、ランダムアクセスメモリ（ＲＡＭ）、ＣＤ−ＲＯＭ、磁気テープ、フロッピーディスク、光データ記憶装置等であってもよい。
【０１２１】
装置の実施例は、基本的に方法の実施例に対応するため、関連するところは方法の実施例の部分的な説明を参考にすることができる。以上に記述した装置の実施例は例示的なものに過ぎず、別体の部品として記述したモジュールは、物理的に分離したものであっても、でなくてもよい。モジュールとして示した部品は、物理的に分離したモジュールであっても、でなくてもよい。即ち、一箇所に位置してもよいし、複数のネットワークモジュールに分布してもよい。実際の需要に応じて、一部又は全部のモジュールを選択して本発明の実施例の目的を実現させることができる。当業者は創造的な労力を要することなく、理解して実施することができる。
【０１２２】
本明細書において、第１及び第２などのような関係語は、１つのエンティティ又は操作と、他のエンティティ又は操作とを区別するためのものに過ぎず、これらのエンティティ又は操作同士にこのような実際の関係又は順序が存在することを要求又は示唆するものではないことに留意されたい。用語「含む」、「包含」又は他のいかなる変形は、非排他的包含を包括するように意図される。従って、一連の要素を含むプロセス、方法、品目又は装置は、これらの要素を含むだけでなく、明確に列挙されていない他の要素も含むか、又はこのようなプロセス、方法、物品又は装置に固有の要素も含む。更なる限定が存在しない場合、「・・・を含む」なる文章によって規定される要素は、該要素を有するプロセス、方法、品目又は装置内に、同じ要素が更に存在することを排除しない。
【０１２３】
当業者は明細書を検討し、ここで開示した発明を実践した後、本発明のその他の実施方案を容易に思いつくことができる。本発明の実施例は、本発明の実施例のいかなる変形、用途、又は適応的な変化を含むことを目的としており、いかなる変形、用途、又は適応的な変化は、本発明の一般原理に基づいて、且つ本発明の実施例において公開されていない本技術分野においての公知常識又は慣用技術手段を含む。明細書及び実施例は、例示的なものを開示しており、本発明の保護範囲と主旨は、特許請求の範囲に記述される。
【０１２４】
本発明の実施例は、上記で説明した、また図面において示した精確な構造に限定されず、その範囲を逸脱しない前提のもとで種々の変更及び修正を行うことができることを理解すべきである。本発明の実施例の範囲は付された特許請求の範囲によってのみ限定される。
【図１】
2021519032.tif 000003
【図２】
2021519032.tif 000004
【図３】
2021519032.tif 000005
【図４】
2021519032.tif 000006
【図５】
2021519032.tif 000007
【図６】
2021519032.tif 000008
【図７】
2021519032.tif 000009
【図８】
2021519032.tif 000010
【図９】
2021519032.tif 000011
【図１０】
2021519032.tif 000012
【図１１】
2021519032.tif 000013
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
測定設定方法であって、基地局に適用され、前記方法は、
コアネットワークからのドライブテスト最小化（ＭＤＴ）設定情報を受信し、前記ＭＤＴ設定情報が、ＭＤＴに対して無線ローカルエリアネットワーク（ＷＬＡＮ）アクセスポイント（ＡＰ）の測定情報を報告するようにユーザ装置（ＵＥ）を設定するためのものであることと、
前記ＭＤＴ設定情報に基づいて、前記ＵＥに測定設定情報を送信し、前記測定設定情報が、ＷＬＡＮ  ＡＰを測定し、前記ＷＬＡＮ  ＡＰの測定情報を報告するようにＵＥを設定するためのものであることと、を含む、測定設定方法。
【請求項２】
前記方法は、
ターゲット基地局に前記ＭＤＴ設定情報を送信し、それによって、前記ターゲット基地局に、前記ＭＤＴ設定情報に基づいて、前記ターゲット基地局の所在するセルのＵＥに前記測定設定情報を送信させることを更に含むことを特徴とする
請求項１に記載の方法。
【請求項３】
前記ＭＤＴ設定情報は、第１ＭＤＴ設定情報又は第２ＭＤＴ設定情報を含み、前記第１ＭＤＴ設定情報は、ＭＤＴに対してＷＬＡＮ  ＡＰのサービスセット識別子（ＳＳＩＤ）又は基本サービスセット識別子（ＢＳＳＩＤ）を報告するようにＵＥを設定するためのものであり、前記第２ＭＤＴ設定情報は、ＭＤＴに対してＷＬＡＮ  ＡＰの受信信号強度インジケータ（ＲＳＳＩ）及び往復遅延時間（ＲＴＴ）を報告するようにＵＥを設定するためのものであることを特徴とする
請求項１又は２に記載の方法。
【請求項４】
アネットワークからのＭＤＴ設定情報を受信することは、
コアネットワークと基地局との間のインタフェースアプリケーションプロトコル（Ｓ１ＡＰ）のＭＤＴ設定シグナリングを介して、前記第１ＭＤＴ設定情報を受信し、前記Ｓ１ＡＰのＭＤＴ設定シグナリングにおける測定アクティブ化情報ユニットに前記第１ＭＤＴ設定情報が付加されること、又は、
コアネットワークと基地局との間のインタフェースアプリケーションプロトコル（Ｓ１ＡＰ）のＭＤＴ設定シグナリングを介して、前記第２ＭＤＴ設定情報を受信し、前記Ｓ１ＡＰのＭＤＴ設定シグナリングにおける測定アクティブ化情報ユニットに前記第２ＭＤＴ設定情報が付加されることを含むことを特徴とする
請求項３に記載の方法。
【請求項５】
前記ターゲット基地局に前記ＭＤＴ設定情報を送信することは、
基地局と基地局との間のインタフェースアプリケーションプロトコル（Ｘ２ＡＰ）のＭＤＴ設定シグナリングを介して、前記ターゲット基地局に前記第１ＭＤＴ設定情報を送信し、前記Ｘ２ＡＰのＭＤＴ設定シグナリングにおける測定アクティブ化情報ユニットに前記第１ＭＤＴ設定情報が付加されること、又は、
基地局と基地局との間のインタフェースアプリケーションプロトコル（Ｘ２ＡＰ）のＭＤＴ設定シグナリングを介して、前記ターゲット基地局に前記第２ＭＤＴ設定情報を送信し、前記Ｘ２ＡＰのＭＤＴ設定シグナリングにおける測定アクティブ化情報ユニットに前記第２ＭＤＴ設定情報が付加されることを含むことを特徴とする
請求項３に記載の方法。
【請求項６】
前記測定設定情報は更に、前記ＷＬＡＮ  ＡＰの測定情報の報告トリガ条件を設定するために用いられ、前記報告トリガ条件は少なくとも１つの無線測定イベントを含むことを特徴とする
請求項１に記載の方法。
【請求項７】
前記少なくとも１つの無線測定イベントは、新たな無線測定イベント又は複数の既存の無線測定イベントを含み、前記新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含むことを特徴とする
請求項６に記載の方法。
【請求項８】
測定報告方法であって、ユーザ装置（ＵＥ）に適用され、前記方法は、
基地局からの測定設定情報を受信し、前記測定設定情報が、無線ローカルエリアネットワーク（ＷＬＡＮ）アクセスポイント（ＡＰ）を測定し、前記ＷＬＡＮ  ＡＰの測定情報を報告するようにＵＥを設定するためのものであることと、
前記測定設定情報に基づいてＷＬＡＮ  ＡＰを測定することと、
前記ＷＬＡＮ  ＡＰの測定情報を報告することと、を含む、
測定報告方法。
【請求項９】
前記ＷＬＡＮ  ＡＰの測定情報は、前記ＷＬＡＮ  ＡＰのサービスセット識別子（ＳＳＩＤ）又は基本サービスセット識別子（ＢＳＳＩＤ）を含むか、又は前記ＷＬＡＮ  ＡＰの受信信号強度インジケータ（ＲＳＳＩ）及び往復遅延時間（ＲＴＴ）を含むことを特徴とする
請求項８に記載の方法。
【請求項１０】
前記測定設定情報は更に、前記ＷＬＡＮ  ＡＰの測定情報の報告トリガ条件を設定するために用いられ、前記報告トリガ条件は少なくとも１つの無線測定イベントを含むことを特徴とする
請求項８又は９に記載の方法。
【請求項１１】
前記ＷＬＡＮ  ＡＰの測定情報を報告することは、
現在条件が前記報告トリガ条件を満たした場合、前記ＷＬＡＮ  ＡＰの測定情報を報告することを含むことを特徴とする
請求項１０に記載の方法。
【請求項１２】
前記少なくとも１つの無線測定イベントは、新たな無線測定イベント又は複数の既存の無線測定イベントを含み、前記新たな無線測定イベントは、ＷＬＡＮ信号が第１閾値未満であること、及び、隣接ＷＬＡＮ信号が現在のＷＬＡＮ信号よりも第２閾値高いことのうちの少なくとも１つを含むことを特徴とする
請求項１０に記載の方法。
【国際調査報告】
2021519032.tif 000014
2021519032.tif 000015
2021519032.tif 000016
2021519032.tif 000017